(57)【要約】  【課題】  加熱装置の安全性、扉開閉時の操作性及び、品質の向上を図る。  【解決手段】  開閉扉４は、開閉操作のためのハンドル５と、移動可能に取り付けられ所定間隔離間した上下２箇所を加熱室側に突出させた係合部１１ａ，１１ｂを有するドアキー１１とを備え、閉状態において、挿入された係合部１１ａ，１１ｂを係止してドアキー１１を保持するドアフック１３を加熱装置本体内部に備え、ドアフック１３は、係合部１１ａ，１１ｂが接触したとき、加熱を行うための電源回路を導通させるようにそれぞれ切り替わるドアスイッチ１４，１６を保持し、ドアキー１１は、開閉扉４が開状態から閉状態となるときに長手方向に移動する長さ分、ハンドル５との接続部に遊びを設けた。【選択図】  図２
2005249345.tif 000002
【特許請求の範囲】
【請求項１】
加熱室を有する加熱装置本体と、前記加熱室の被加熱物取出口を開閉自在にロックして閉状態とする一方、このロックを解除して開状態とする扉開閉部とを備えた加熱装置の扉開閉部であって、
前記扉開閉部が、前記開閉扉の開閉操作を行うハンドルと、前記ハンドルの開閉操作に連動して長手方向に移動可能に前記開閉扉に配設され該長手方向に所定間隔離間した２箇所において前記加熱室側に突出する第１及び第２の係合部を一体に形成したドアキーとを備え、
前記加熱装置本体が、前記開閉扉を閉じた場合に前記加熱装置本体へ挿入される前記第１及び第２の係合部にそれぞれ係合して前記ドアキーを保持するドアフックを有し、
前記ドアフックが、前記第１及び第２の係合部と係合したときに、該第１及び第２の係合部による押下動作により、前記加熱室の加熱を行うための電源回路が導通するようにそれぞれ切り替わる第１及び第２のドアスイッチを有し、
前記開閉扉が開状態から閉状態となるときに前記ドアキーが長手方向に移動する長さ分、前記ハンドルと前記ドアキーとの接続部に遊びを設けたことを特徴とする加熱装置の扉開閉部。
【請求項２】
請求項１記載の加熱装置の扉開閉部であって、
前記第１及び第２の係合部が、前記開閉扉の上下に独立して配置されていることを特徴とする加熱装置の扉開閉部。
【請求項３】
請求項１または２記載の加熱装置の扉開閉部であって、
前記ドアキーの前記第１及び第２の係合部の先端が、上方に向けて突出していることを特徴とする加熱装置の扉開閉部。
【請求項４】
請求項１ないし３のいずれか一項記載の加熱装置の扉開閉部であって、
前記第１及び第２のドアスイッチが、押圧動作部を下方に向けて配設されていることを特徴とする加熱装置の扉開閉部。
【請求項５】
請求項１ないし４のいずれか一項記載の加熱装置の扉開閉部であって、
前記第１の係合部に対する前記第１のドアスイッチの相対的な位置は、前記開閉扉の閉状態において、前記第２の係合部に対する前記第２のドアスイッチの相対的な位置と同一であることを特徴とする加熱装置の扉開閉部。
【請求項６】
請求項１ないし５のいずれか一項記載の加熱装置の扉開閉部であって、
前記ドアキーが、前記第１及び第２の係合部に前記ドアキーの長手方向と平行な部分を有し、
前記ドアフックが、前記開閉扉の閉状態において、前記平行な部分を前記ドアフックに当接させて前記ドアキーを保持することを特徴とする加熱装置の扉開閉部。
【請求項７】
請求項１ないし６のいずれか一項記載の加熱装置の扉開閉部であって、
前記ドアフックのいずれか一方は、前記第１の係合部が保持されたとき、前記電源回路を導通させるように切り替わるショートスイッチを前記第１のドアスイッチの近傍に有し、
前記第１の係合部は、前記開閉扉を閉じる場合、前記ショートスイッチを押下した後、前記第１のドアスイッチを押下する位置に配設されていることを特徴とする加熱装置の扉開閉部。
【請求項８】
請求項１ないし７のいずれか一項記載の加熱装置の扉開閉部であって、
前記ハンドルが、前記ドアキーとラックピニオン機構により接続され、前記ハンドルの回動動作により前記ドアキーが上下動作することを特徴とする加熱装置の扉開閉部。
【発明の詳細な説明】
【技術分野】
【０００１】
本発明は、電子レンジ等の加熱装置に関し、特に、加熱装置の扉開閉部の構造に関する。
【背景技術】
【０００２】
電子レンジを使用する際、被調理物を庫内に載置し、ドアを閉じた状態でマイクロ波の供給を開始する。しかし、ドアが完全に閉じられていない状態、例えばドアの上部の係合部は本体側にロックされているが下部の係合部がロックされていない状態等で、マイクロ波が供給されると、マイクロ波が庫外に漏れ出す恐れがある。このため、一般に電子レンジは、ドアが完全に閉じた状態であることを検出する手段を設けた扉開閉部を備え、ドアが完全に閉じた状態である場合のみマグネトロンを駆動してマイクロ波の供給を可能としている。
【０００３】
以下、従来の加熱装置の扉開閉部の構成を図１６〜図２０を参照して説明する。
【０００４】
図１６は、従来の加熱装置の第１の扉開閉部の構成を説明する断面図である（例えば、特許文献１参照。）。同図に示すように、従来の扉開閉部１１０は、ドア１１１にドアキー１１２が設けられ、本体（図示せず）にドアフック１１６が設けられる。ドアフック１１６内には、ドアスイッチ１１３，１１４，１１５が設けられる。ドアスイッチ１１３〜１１５は、ドア１１１が閉まっているか否かを検出するものであり、ドア１１１が閉まっているときはマイクロ波を発生するための電源供給部（図示せず）及び電源供給部を制御する制御部（図示せず）に接続される回路を閉じて電源供給部を動作可能にし、ドア１１１が開いているときはこの回路の接続を遮断する。ドアキー１１２は、上下端部近傍に、ドアキー１１２の垂直下方向と下縁部が角度ａを有するように外方に突設した係合部１１２ａ，１１２ｂをそれぞれ有し、上下方向に移動可能にドア１１１に保持されるものである。ドアフック１１６は、係合部１１２ａ，１１２ｂがそれぞれ挿入される挿入口１１６ａ，１１６ｂと、係合部１１２ａ，１１２ｂの挿入動作をガイドするガイド部１１７ａ，１１７ｂとを有する。ドアスイッチ１１３，１１４，１１５は、それぞれ、押下されることによってスイッチを導通させる動作部１１３ａ，１１４ａ，１１５ａを有する。ドアスイッチ１１３は、ガイド部１１７ａの終端近傍に設けられ、ドアスイッチ１１４，１１５は、ガイド部１１７ｂの終端近傍に設けられ、ドアスイッチ１１４は、ガイド部１１７ｂの下方に位置し、ドアスイッチ１１５は、係合部１１２ｂの先端の厚みに相当する距離を隔てたドアスイッチ１１４の上方に位置する。
【０００５】
ドア１１１を閉じる場合、ドアキー１１２の係合部１１２ａ及び１１２ｂがドアフック１１６のガイド部１１７ａ，１１７ｂに沿って挿入口１１６ａ，１１６ｂからそれぞれ挿入され、ガイド部１１７ａ，１１７ｂに各係合部の下側斜面が当接して係止される。このとき、係合部１１２ａがドアスイッチ１１３の動作部１１３ａを押下する。一方、係合部１１２ｂがドアスイッチ１１４の動作部１１４ａを押下すると共にドアスイッチ１１５の動作部１１５ａを押下する。
【０００６】
これにより、ドアキー１１２がドアフック１１６に保持されると、ドアスイッチ１１３〜１１５の状態が変化して電源供給部及び制御部に接続される回路が導通する。したがって、ドア１１１が完全に閉じた状態（ドア１１１の上下の係合部が共に本体側にロックされた状態）である場合にのみマイクロ波を発生させ、電子レンジを安全に使用することができる。
【０００７】
しかし、この構成の加熱装置の扉開閉部１１０は、ドアキー１１２の係合部１１２ａ，１１２ｂがドアキー１１２の鉛直方向に対して角度ａのテーパを形成しているため、係合部１１２ａ，１１２ｂの下側斜面とガイド部１１７ａ，１１７ｂとが当接して係止された状態において、係合部１１２ａ，１１２ｂの位置がずれやすくなる。このため、扉開閉部１１０は、ドア１１１と本体との間に隙間が生じることがある。
【０００８】
図１７は、従来の加熱装置の第２の扉開閉部の構成を説明する図で（ａ）は扉の開状態（ｂ）は閉状態を示す。同図に示すように、従来の扉開閉部１２０は、ドア１２８にドアピン１２１及びドアノブと連動して上下動するドアキー１２２が設けられ、本体（図示せず）にショートスイッチ１２３、ラッチスイッチ１２４及び信号スイッチ１２５と、回転部１２６，１２７が設けられる。ショートスイッチ１２３、ラッチスイッチ１２４及び信号スイッチ１２５は、ドア１２８が閉まっているか否かを検出するものであり、前述と同様に機能する。ドアピン１２１はドア１２８に固設され、ドアキー１２２はドア１２８に回動可能に設けられる。ショートスイッチ１２３、ラッチスイッチ１２４及び信号スイッチ１２５は、それぞれ、押下されることによってスイッチのオン・オフを切り替える動作部１２３ａ，１２４ａ及び１２５ａを有する。回転部１２６は、ドア１２８が閉じていない状態の所定位置で動作部１２３ａを押下せずショートスイッチ１２３をオフし、この位置から反時計回りに回転することによってショートスイッチ１２３をオンする。一方、回転部１２７は、ドアが閉じていない状態の所定位置ではラッチスイッチ１２４及び信号スイッチ１２５をオンさせず、この位置から時計回りに回転して動作部１２４ａ及び１２５ａを押下し、ラッチスイッチ１２４及び信号スイッチ１２５をオンする。
【０００９】
ドアを閉じる場合、ドアピン１２１が、回転部１２６が有する係合部１２６ａを押し上げることによって、回転部１２６が反時計回りに回転し、回転部１２６の突設部１２６ｂに押下されていた動作部１２３ａが押下されない状態になる。また、ドアを閉じる場合、ドアキー１２２が回動して回転部１２７が有する係合部１２７ａを押し上げることによって、回転部１２７が時計回りに回転し、動作部１２４ａ，１２５ａの押下を解除する。
【００１０】
これにより、ドア１２８を閉じると、ラッチスイッチ１２４及び信号スイッチ１２５がオンして、その後、ショートスイッチ１２３がオフし、電源供給部及び制御部に接続される回路が導通する。したがって、ドアが完全に閉じた状態である場合にのみマイクロ波を発生させている。
【００１１】
しかし、扉開閉部１２０は、ドア１２８に固設されたドアピン１２１とドア１２８に対して回動可能に設けられたドアキー１２２とが異なる機構で動くため、ドアノブの操作状況によっては、ショートスイッチ１２３と、ラッチスイッチ１２４及び信号スイッチ１２５とで、オン・オフが切り替わるタイミングがばらつくことがある。
【００１２】
図１８は、従来の加熱装置の第３の扉開閉部の構成を説明する断面図である（例えば、特許文献２参照。）。同図に示すように、従来の扉開閉部１３０は、ドア１３１に、外部に突出させたハンドル１３２と、ハンドル１３２の上下端部に回動可能にそれぞれ設けられたラッチヘッド１３３，１３４と、ラッチヘッド１３３と１３４とを接続し上下方向に可動な接続レバー１３５とが設けられ、本体側に、ドアスイッチ１３６，１３７，１３８と、押下された方向に回転する回転部１３９と、ラッチヘッド１３３，１３４が本体内に挿入される際の挿入動作をガイドするガイド部１３９ａ，１３９ｂとが設けられる。ドアスイッチ１３６〜１３８は、ドア１３１が閉まっているか否かを検出するものであり、前述と同様に機能する。ドアスイッチ１３６は、ガイド部１３９ａの終端部上方に設けられ、ドアスイッチ１３７は、ガイド部１３９ａの終端部下方に設けられる。また、ドアスイッチ１３８は、ガイド部１３９ｂの終端部下方に設けられる。ドアスイッチ１３６〜１３８は、押下されることによってスイッチの状態を変化させる動作部１３６ａ〜１３８ａをそれぞれ有する。本体の回転部１３９は、ラッチヘッド１３３に押下されて回転し、ドアスイッチ１３６の動作部１３６ａを押下してドアスイッチ１３６をオンする。
【００１３】
ドア１３１を閉じる場合、ラッチヘッド１３３，１３４がガイド部１３９ａ，１３９ｂに沿って本体内に挿入され、ガイド部１３９ａ，１３９ｂに下側が当接されてスライドし、係止される。このとき、ラッチヘッド１３３が回転部１３９を押下することによってドアスイッチ１３６が動作部１３６ａを押下し、ラッチヘッド１３３がドアスイッチ１３７の動作部１３７ａを押下する。一方、ラッチヘッド１３４がドアスイッチ１３８の動作部１３８ａを押下する。
【００１４】
これにより、ラッチヘッド１３３，１３４がガイド部１３８ａ，１３８ｂにそれぞれ係止されると、ドアスイッチ１３６〜１３８の状態が変化して電源供給部及び制御部に接続される回路が導通する。
【００１５】
しかし、この構成の扉開閉部１３０は、ハンドル１３２とラッチヘッド１３３，１３４との接続部や、本体の回転部１３９等、回転する機構が多いため、スイッチが入るタイミングがばらつきやすい。
【００１６】
図１９は、従来の加熱装置の第４の扉開閉部の構成を説明する断面図であり、（a）は扉の開状態、（ｂ）は閉作動中の状態を示す（例えば、特許文献３参照。）。同図に示すように、従来の扉開閉部１４０は、本体側に、回転可能なフックレバー１４２，１４３と、外部から押下されることによってフックレバー１４２の係合部を押圧する操作ボタン１４１と、本体側に固設され、後述するドアキー１４４を係止するドアフック１４５とが設けられる。ドアキー１４４は、上下方向に可動し、ドア（図示せず）を閉じる場合は下方向に変位してドアフック１４５と嵌合し、ドアを開ける場合は上方向に変位してドアフック１４５から外れる。
【００１７】
ドアを開ける場合、外部から押下された操作ボタン１４１がフックレバー１４２を押圧して回転させる。回転したフックレバー１４２はフックレバー１４３を押し上げて回転させる。回転したフックレバー１４３がドアキー１４４を押し上げて、ドアキー１４４をドアフック１４５から外す。また、ドアを閉じる場合、ドアキー１４４が押し下げられ、ドアフック１４５に係止される。これにより、操作ボタン１４１を押下することによってドアを開けることができる。
【００１８】
しかし、この構成の扉開閉部１４０は、可動する部品が多く、部品同士が接触する箇所が多いため、部品間の抵抗が大きくなる。このため、ドアを開けるために大きな操作力が必要となる。
【００１９】
ところで、上記した従来の加熱装置の各扉開閉部のうち、図１６に示す扉開閉部１１０においては、ドアキー１１２の各係合部１１２ａ，１１２ｂが下方に向けて突出しており、ドアスイッチ１１４の動作部１１４ａが上側に配置されている。そのため、図２０に示すように、ドアキー１１２に、例えば肉汁や水滴等の異物１１８が付着したときに、それら異物が係合部１１２ｂにおいて下方に向けて突出した先端部に溜まる。そして、この状態で異物１１８が乾燥し、乾燥した異物１１８が付着したままで係合部１１２ｂが作動した場合、係合部１１２ｂがドアスイッチ１１４の動作部１１４ａを押下する動作タイミングにずれを生ずる虞がある。また、異物１１８が乾燥する前に係合部１１２ｂが作動した場合、係合部１１２ｂの先端部からドアスイッチ１１４の動作部１１４ａに異物１１８が乗り移り、その結果、ドアスイッチ１１４が作動不良に陥る虞がある。つまり、係合部１１２ａ，１１２ｂが下方に向けて突出していることにより、異物１１８の付着を確認し難く、清掃も行き届かなくなる。このような問題点は、図１８に示す扉開閉部１３０における、ラッチヘッド１３３，１３４と、ドアスイッチ１３７，１３８の動作部１３７ａ，１３８ａとの組み合わせ構造においても、同様に起こる虞がある。
【００２０】
【特許文献１】米国特許第６，３３３，４９５号明細書
【特許文献２】米国特許４，５４２，２６９号明細書
【特許文献３】米国特許５，８５７，７２０号明細書
【発明の開示】
【発明が解決しようとする課題】
【００２１】
本発明は、上記従来の事情に鑑みてなされたものであって、安全性、扉開閉時の操作性及び、品質を向上させることができる加熱装置の扉開閉部を提供することを目的としている。
【課題を解決するための手段】
【００２２】
本発明の加熱装置の扉開閉部は、加熱室を有する加熱装置本体と、前記加熱室の被加熱物取出口を開閉自在にロックして閉状態とする一方、このロックを解除して開状態とする扉開閉部とを備えた加熱装置の扉開閉部であって、前記扉開閉部が、前記開閉扉の開閉操作を行うハンドルと、前記ハンドルの開閉操作に連動して長手方向に移動可能に前記開閉扉に配設され該長手方向に所定間隔離間した２箇所において前記加熱室側に突出する第１及び第２の係合部を一体に形成したドアキーとを備え、前記加熱装置本体が、前記開閉扉を閉じた場合に前記加熱装置本体へ挿入される前記第１及び第２の係合部にそれぞれ係合して前記ドアキーを保持するドアフックを有し、前記ドアフックが、前記第１及び第２の係合部と係合したときに、該第１及び第２の係合部による押下動作により、前記加熱室の加熱を行うための電源回路が導通するようにそれぞれ切り替わる第１及び第２のドアスイッチを有し、前記開閉扉が開状態から閉状態となるときに前記ドアキーが長手方向に移動する長さ分、前記ハンドルと前記ドアキーとの接続部に遊びを設けている。
【００２３】
この構成により、ハンドルが操作されることによって第１及び第２の係合部が同時に動き、開閉扉を閉じる際、第１及び第２のドアスイッチを同時に切り替えることができる。それにより、第１及び第２のドアスイッチが押下する動作タイミングにずれを生ずることがなくなるとともに、第１及び第２のドアスイッチが作動不良になることがなくなる。また、開閉扉を閉じるときにドアキーは移動するが、遊びによってドアキーが空振り動作を行うために、ハンドルが閉位置のまま動かずに開閉扉の閉動作を行うことができる。したがって、開閉扉を不完全に閉じることなく加熱装置の安全性を向上することができるとともに、ハンドルを操作して開閉扉を開閉することにより容易に開閉動作を行うことができるので、扉開閉時の操作性を向上することができ、ドアスイッチを確実に作動させることにより、品質の向上を図ることができる。
【００２４】
また、本発明の加熱装置の扉開閉部は、前記第１及び第２の係合部が、前記開閉扉の上下に独立して配置されている。この構成により、開閉扉の上方に配置された第１の係合部と、開閉扉の下方に配置された第２の係合部とが同時的にドアフックから外れないと、開閉扉を開けることができない。これにより、第１の係合部のみが、或いは第２の係合部のみがドアフックから外れたとしても開閉扉は開かないので、安全性を向上することができる。
【００２５】
また、本発明の加熱装置の扉開閉部は、前記ドアキーの前記第１及び第２の係合部の先端が、上方に向けて突出している。この構成により、ドアキーの第１及び第２の係合部の先端部が上方に向けて突出しているために、例えば肉汁や水滴等の異物が付着し難い。
【００２６】
また、本発明の加熱装置の扉開閉部は、前記第１及び第２のドアスイッチが、押圧動作部を下方に向けて配設されている。この構成により、ドアキー側から押圧動作部に肉汁や他の液汁等の異物が乗り移ることがないとともに、押圧動作部に異物や粉塵等が付着することがないので、第１及び第２のドアスイッチを作動不良になることなく確実に作動させることができる。
【００２７】
また、本発明の加熱装置の扉開閉部は、前記第１の係合部に対する前記第１のドアスイッチの相対的な位置は、前記開閉扉の閉状態において、前記第２の係合部に対する前記第２のドアスイッチの相対的な位置と同一である。この構成により、ハンドルが操作されることによって第１及び第２の係合部が同時に動き、かつ、開閉扉が被加熱物取出口を閉じた状態において第１及び第２の係合部と第１及び第２のドアスイッチとの相対位置が同一であることにより、開閉扉を閉じる際、第１及び第２のドアスイッチを同時に切り替えることができる。それにより、開閉扉が不完全に閉じた状態になりにくいため、加熱装置の安全性を向上することができるとともに、ハンドルを操作して開閉扉を開閉することにより小さな力で容易に開閉することができるので、扉開閉時の操作性を向上することができる。
【００２８】
また、本発明の加熱装置の扉開閉部は、前記ドアキーが、前記第１及び第２の係合部に前記ドアキーと平行な部分を有し、前記ドアフックが、閉状態において、前記平行な部分が前記ドアフックと接触するように前記ドアキーを保持するものである。この構成により、閉状態において、ドアフックは、第１及び第２の係合部との間に隙間を生じることなくドアキーを保持することができる。また、従来のもののような傾斜面を持たず、回動しないので、加熱室内の圧力が急に上昇した際に、容易に開いてしまうことがない。さらに、ドアキーに角度がないので、係合するときの抵抗が少なくなり、確実にドアスイッチを押圧することができる。したがって、開閉扉は、加熱装置本体との間に隙間を生じさせることなく、容易に開くことなく被加熱物取出口を閉状態とすることができる。
【００２９】
また、本発明の加熱装置の扉開閉部は、前記ドアフックのいずれか一方が、前記第１の係合部が保持されたとき、前記電源回路を導通させるように切り替わるショートスイッチを前記第１のドアスイッチの近傍に有し、前記第１の係合部が、前記開閉扉を閉じる場合、前記ショートスイッチを押下した後、前記第１のドアスイッチを押下するものである。この構成により、より安全に電源回路を動作させることができる。
【００３０】
さらに、本発明の加熱装置の扉開閉部は、前記ハンドルが、前記ドアキーとラックピニオン機構により接続され、前記ハンドルの回動動作により前記ドアキーが上下動作するものである。この構成により、ラックとピニオンの噛み合わせ位置を変えるだけで、他の構成を変えることなくハンドルを所望の位置に設けることができる。
【発明の効果】
【００３１】
本発明によれば、第１及び第２のドアスイッチを同時に切り替えることができるとともに加熱室内の圧力が急に上昇しても開閉扉が開かないようにできるために加熱装置の安全性を向上することができる。また、小さな力で容易に開閉扉を開閉することができるために扉開閉時の操作性を向上できる。さらに、ドアスイッチを確実に作動させることにより品質の向上を図ることできる。
【発明を実施するための最良の形態】
【００３２】
以下、図面を参照して、本発明の各実施形態に係る加熱装置の扉開閉部を高周波加熱装置に適用した例を説明する。
【００３３】
扉開閉部の説明に先立ち、まず、この扉開閉部を備える高周波加熱装置の概略構成について説明する。
【００３４】
図１は、本発明の第１実施形態を説明するための扉開閉部を有する高周波加熱装置の概略構成を示す外観図である。同図に示すように、高周波加熱装置（以下、単に加熱装置とも言う。）１は、前面開放の箱形の本体ケース２内部に加熱室３が形成されており、本体ケース２の前面に、加熱室３の被加熱物取出口を開閉する透光窓４ａ付きの開閉扉４が設けられ、加熱室３の一側方となる右側には操作パネル９が設けられている。開閉扉４は、他側方となる左端が本体ケース２の左縁にヒンジ結合されることで、左右方向に開閉可能となっており、右端の略中央に装備されたハンドル５を手前（斜め上方）に引くことによって、開いた状態にすることができる。操作パネル９には、加熱時間を設定するためのタイマ６や、出力を例えば、７５０Ｗ(温め用)、５００Ｗ(冷凍食品用)、１７０Ｗ(解凍用)等に切り替えるためのつまみ７が設けられる。
【００３５】
高周波加熱装置１は、ターンテーブル８に被加熱物が載置され、開閉扉４が閉じられた後、つまみ７で出力レベルを設定しタイマ６で加熱時間を設定することによって、マグネトロン（図示せず）が駆動され、マグネトロンから発生したマイクロ波が加熱室内３に供給される。
【００３６】
開閉扉４は、右端内部にドアキー１１（図２、図３参照）を有し、上方及び下方からドアキー１１の係合部１１ａ，１１ｂを加熱室３側にそれぞれ突出させている。また、本体ケース２は、被加熱物取出口の右側に、開閉扉４を閉じた場合に係合部１１ａ，１１ｂが挿入される挿入口１２ａ，１２ｂを有する。
【００３７】
次に、図２及び図３を参照して扉開閉部の構成を説明する。図２は開閉扉４を閉じた状態の扉開閉部の断面図であり、図３は開閉扉４を開いた状態の断面図である。扉開閉部は、主として開閉扉４と本体ケース２内のドアフック１３とで構成される。開閉扉４は、ハンドル５とドアキー１１を有する。ハンドル５は、略Ｌ字型に形成され一端を開閉扉４の外部に下向きに突出させて構成され、開閉扉４内部に収納される他端の端面にピニオン５ａが設けられる。ドアキー１１は、長さＬ１で、上端から約Ｌ１／４の位置に係合部１１ａを設け、下端から約Ｌ１／４の位置に係合部１１ｂを設けた細長状の部材である。またハンドル５は、略Ｌ字状に形成され、一端が開閉扉４の外側で下向きに延出され、他端が開閉扉４の内部に収容されている。この他端は、ラックとピニオン等による伝動構造となっており、ドアキー１１を上下方向に移動可能にする。ドアキー１１は、細長形状の基部と、該基部から突出して形成され本体ケース２側に係止されて開閉扉４を閉状態にロックする係合部１１ａ，１１ｂとを有する。係合部１１ａ，１１ｂは、上方に突出して形成されている。係合部１１ａ，１１ｂは、開閉扉４の上下に独立して配置されている。そのために、開閉扉４の上方に配置された係合部１１ａと、開閉扉４の下方に配置された係合部１１ｂとが同時的にドアフック１３から外れないと、開閉扉４を開けることができない。これにより、係合部１１ａのみが、或いは係合部１１ｂのみがドアフック１３から外れたとしても開閉扉４は開かないので、安全性を向上することができる。ドアキー１１基部には、ドアキー１１の長手方向に沿って長孔１１ｄ，１１ｅが複数箇所に穿設されており、これら長孔１１ｄ，１１ｅに開閉扉４側に固設されたピン４ｂ，４ｃが挿入されることで、ドアキー１１の長孔１１ｄ，１１ｅに沿った上下方向軌道を移動可能にしている。なお、長孔１１ｄ，１１ｅは、ドアキー１１に代えて開閉扉４に設けても良い。その場合、ピン４ｂ，４ｃはドアキー１１に設けられる。また、ドアキー１１は、ハンドル５の他端に形成されたピニオン５ａに螺合する歯（ラック）１１ｃが設けられる。このドアキー１１は、バネ１７によって上方に付勢されている。なお、ラックとピニオンをドアキーのどの位置（長手方向における位置）で噛み合わせるかによって、ハンドルの取り付け位置、すなわち、開閉扉の外側のどの位置に扉開閉用の取手を設けるか、を自由に定めることができる。つまり、所望の位置に配置されたハンドルのピニオンと対向する位置にラックを設ければよい。また、ドアキーの全長にわたってラックを設け、ピニオンとどの位置でも噛み合い可能にして、ドアキーの汎用性を高めた構成としてもよい。
【００３８】
ドアフック１３は、本体ケース２の挿入口１２ａ，１２ｂの位置に、開閉扉４を閉じるときに係合部１１ａ，１１ｂが挿入される挿入口１３ｃ，１３ｄを有し、挿入口１３ｃ，１３ｄ上部からドアフック１３内へ斜め下方向に、ドアキー１１の挿入動作をガイドするガイド部１３ａ，１３ｂがそれぞれ設けられている。また、ドアフック１３内には、ドアスイッチ１４〜１６が設けられる。
【００３９】
ドアスイッチ１４〜１６は、開閉扉４が閉まっているか否かを検出するものであり、詳細は後述するが、開閉扉４が閉まっているときはマグネトロンを駆動してマイクロ波を発生するための電源供給部（図示せず）及び電源供給部を制御する制御部（図示せず）に接続される回路（以下「電源回路」という。）を閉じて電源供給部を動作可能にし、開閉扉４が開いているときはこの電源回路の接続を遮断する。ドアスイッチ１４〜１６は、押下されることによってスイッチのオン・オフを切り替える動作部１４ａ〜１６ａをそれぞれ有する。ドアスイッチ１４はラッチスイッチであり、ドアスイッチ１５はショートスイッチであり、ドアスイッチ１６はドア信号スイッチである。ここで、動作部１４ａとガイド部１３ａとは、挿入部１２ａのいかなる部分から、例えば、指や棒等の異物を挿し込んでも、動作部１４ａを直接操作できないように配置されている。これは、動作部１６ａとガイド部１３ｂに対する挿入部１２ｂとの配置においても同様である。そのために、ドアスイッチ１４，１６の動作を保障することができる。
【００４０】
図２に示す開閉扉４が閉じた状態において、ドアキー１１は、ドアフック１３内に挿入され、ドアスイッチ１４〜１６の動作部１４ａ〜１６ａを押下した状態でドアフック１３に保持されている。この状態から開閉扉４を開ける場合、ハンドル５が手前方向に引かれることによってハンドル５が支点５ｂを中心に回転し、ピニオン５ａ及びラック１１ｃによって、回転力が下向きの力に変換されてドアキー１１に伝達される。この下向きの力によってドアキー１１が押し下げられ、図３に示すように、係合部１１ａ，１１ｂとガイド部１３ａ，１３ｂとの係合が解除された状態になる。この状態でハンドル５を図中水平方向に引けば、開閉扉４が開いた状態となる。ドアキー１１と、ハンドル５とは、開閉扉４に配されているために、従来のもののように別所に配置されている場合と比べて、ドアキー１１と、ハンドル５とに位置ずれを生ずる虞はない。
【００４１】
次に図４を参照して、ドアキー１１の係合部１１ａ，１１ｂの形状を説明する。図４は、係合部１１ａの拡大図である。係合部１１ａは、上面がドアキー１１本体側から順に、水平部２０６、斜辺部２０５、垂直部２０１、水平部２０２、曲面部２０３で構成され、垂直側壁２０４を介して下面に接続されている。斜辺部２０５及び垂直部２０１は略Ｖ字型を形成している。開閉扉４を閉じる場合、係合部１１ａは、曲面部２０３がガイド部１３ａ（図２、図３参照）に摺接してドアフック１３内に挿入された後、水平部２０２がガイド部１３ａの端部と摺接しながら水平方向に押し込まれる。そして係合部１１ａは、垂直部２０１がガイド部１３ａの端部に摺接しながらバネ１７の復元力によって上方向に移動し、斜辺部２０５がガイド部１３ａの下面と接触した状態で、ドアフック１３に保持される。この際、垂直部２０１とバネ１７の復元力の方向（図中の矢印方向）は、共に同じ方向であるために、ガイド部１３ａの端部との摺れによる抵抗は極端に小さい。そのために、ドアスイッチ１４，１６を確実に動作させることができる。なお、係合部１１ｂの形状やその作用も係合部１１ａと同様である。この構成により、ドアキー１１とドアフック１３とが、係合部１１ａ（１１ｂも同様）の垂直部２０１とガイド部１３ａの終端部との間に隙間が生じない状態で保持される。したがって、開閉扉４を閉じた状態では、開閉扉４と本体ケース２との間に隙間が生じにくい。また、ドアキー１１は、係合部１１ａ，１１ｂの先端部が上方に向けて突出している。さらに、これら係合部１１ａ，１１ｂの先端部の突出方向に対応してドアスイッチ１４，１６の動作部１４ａ，１６ａが下側に配されている。これらにより、係合部１１ａ，１１ｂの先端部に異物が付着し難くなるために、ドアスイッチ１４，１６が押下される動作タイミングにずれを生ずることがなくなるとともに、ドアスイッチ１４，１６が作動不良になることがない。また、ドアキー１１側から、ドアスイッチ１４，１６の各動作部１４ａ，１６ａに肉汁や他の液汁等の異物が乗り移ることがないとともに、各動作部１４ａ，１６ａに異物や粉塵等が付着することがないので、ドアスイッチ１４，１６を作動不良になることなく確実に作動させることができる。
【００４２】
ここで、図５及び図６を参照してドアスイッチ１４〜１６を含む電源回路の電気的な動作を詳細に説明する。図５は電源回路の回路図の一例を示し、図６は開閉扉開閉時における各スイッチのタイミングチャートの一例を示す。ドアスイッチ１４，１６は、動作部１４ａ，１６ａが押下されることによってオンし、ドアスイッチ（ショートスイッチ）１５は、動作部１５ａが押下されることによってオフする。ドアスイッチ１４は、ガイド部１３ａ終端付近、より詳しくは、ドアキー１１がドアフック１３に保持された状態（開閉扉４を閉じた状態）で、係合部１１ａ先端上面となる水平部２０２と動作部１４ａとが接触する位置に設けられる。ドアスイッチ１５は、ガイド部１３ａ終端付近、より詳しくは、ドアキー１１がドアフック１３に保持された状態で、係合部１１ａ先端面となる垂直側壁２０４と動作部１５ａとが接触する位置に設けられる。ドアスイッチ１６は、ガイド部１３ｂ終端付近、より詳しくは、ドアキー１１がドアフック１３に保持された状態で、係合部１１ｂ終端上面と動作部１６ａとが接触する位置に設けられる。同図に示す電源回路は、ドアスイッチ１４，１５と、ヒューズ１８とが商用電源１７に直列に接続され、ドアスイッチ１６のオン・オフに連動してオン・オフするリレー１９とリレー１９に直列接続されたインバータ２０とがドアスイッチ１５に並列に接続されている。ヒューズ１８は、ドアスイッチ１４及びドアスイッチ（ショートスイッチ）１５の両方がオンした場合にこの回路を遮断するものである。インバータ２０は、商用電源の電圧（例えば１００Ｖ）を、マグネトロンを駆動するのに必要な電圧（例えば数ｋＶ）に昇圧するものである。すなわち、インバータ２０に電流が流れる場合に、マイクロ波が発生可能になる。
【００４３】
図６に示すように、開閉扉４が閉じた状態においては、ドアスイッチ１４，１６、リレー１９がオンし、ドアスイッチ（ショートスイッチ）１５がオフしている。したがって、この状態では、商用電源１７からインバータ２０に電流が流れ、マグネトロンが発振可能となっている。この状態から開閉扉４が開いた状態にする場合、前述したようにまずドアスイッチ１４がオフした後、一定時間（タイムラグ）経過してからドアスイッチ（ショートスイッチ）１５がオンする。このため、より安全に電源回路を動作させることができる。
【００４４】
次に図７を参照して、開閉扉４を閉じるときに係合部１１ａがドアスイッチ１４，１５の動作部１４ａ，１５ａを押下する動作を説明する。図７は、係合部１１ａ及びドアスイッチ１４，１５の拡大断面図であり、（ａ）はいずれの動作部も押下されていない状態、（ｂ）は一方の動作部が押下された状態、（ｃ）は双方の動作部が押下された状態をそれぞれ示す。ガイド部１３ａにガイドされてドアフック１３内に挿入された後水平方向に押し込まれた係合部１１ａ（図７（ａ）参照）は、上方向に変位する際、曲面部２０３が動作部１５ａを押下する（図７（ｂ）参照）。そして、水平部２０２が動作部１４ａを押下し、係合部１１ａは、ドアフック１３によって、ドアスイッチ１４，１５及びガイド部１３ａで規制される位置に保持される（図７（ｃ）参照）。すなわち、ドアスイッチ１４，１５は、ショートスイッチであるドアスイッチ１５がオフした後、ラッチスイッチであるドアスイッチ１４がオンする。逆に、開閉扉４を開ける場合には、ドアスイッチ１４がオフした後、ショートスイッチ１５がオンする。これにより、より安全に電源回路を動作させることができる。なお、ドアスイッチ１６は、ドアスイッチ１４のオン・オフが切り替えられるのと同時に、オン・オフが切り替えられる。これは、係合部１１ａと１１ｂとが共にドアキー１１の一部分であること、及び、ドアキー１１がドアフック１３に保持された状態におけるドアスイッチ１６と係合部１３ｂとの位置関係がドアスイッチ１４と係合部１３ａとの位置関係と同じであることによる。この構成により、開閉扉４は、開閉扉４の上部は閉じているが下部が開いているといった、不完全に閉じた状態になりにくいため、高周波加熱装置１の安全性を向上することができる。
【００４５】
次に図８を参照して、第１実施形態における力学的構成について述べる。図８に示すように、ハンドル５の長さをＬ、ハンドル５の支点からピニオン５ａまでの半径をｒ、バネ１７の引張力をＦｋ、バネ１７のバネ定数をｋ、係合部１１ａ，１１ｂのストロークをΔｌ、ハンドル５に必要な引き上げ力をＦａとすると、
【数１】
2005249345.tif 000003
【００４６】
このような構成とすることにより、ドアキー１１の係合部１１ａ，１１ｂによるドアフック１３への係合力を大きくして確実な係合状態を得るために、バネ定数の大きなバネ１７を用いたとしても、ハンドル５に必要な引き上げ力を小さくできる。つまり、小さい力でハンドル５を操作することができ、しかも、大きな力のバネ１７により、確実な施錠を行うことができる。
【００４７】
以上、ドアキー１１とハンドル５とは、ラック１１ｃとピニオン５ａとが噛み合うことによって連動可能に構成される例を説明したが、ドアキーとハンドルとの接続部は他の構成であってもよい。図９は、他の構成におけるハンドルとドアキーとの接続部の断面図であり、（ａ）は開閉扉が開いた状態、（ｂ）はドアキーの一部が本体側に挿入された状態、（ｃ）は開閉扉が閉じた状態をそれぞれ示す。ハンドル３５は、ハンドル５と略同様の構成であるが、ピニオン５ａの代わりにピン３５ａを有する。また、ドアキー４１は、ドアキー１１と略同様の構成であるが、ラック１１ｃの代わりに、上端近傍にドアキー４１の長手方向に沿った空振り動作用の長孔４１ｃが穿設されている。ハンドル３５は、長孔４１ｃにピン３５ａが挿入されることによってドアキー４１と接続される。これにより、ドアキー４１及びハンドル３５は、連動可能になる。この構成によれば、開閉扉４を閉じる場合、図９（ｂ）に示すように係合部４１ａ，４１ｂがガイド部１３ａ，１３ｂにガイドされてドアキー４１が下方向に変位するが、ピン３５ａが長孔４１ｃ内を上方向に変位するため、ハンドル３５が変位することがなく、ドアキー４１がドアフック１３に保持される（図９（ｃ）参照）。すなわち、開閉扉４を閉じる場合、ハンドル３５が手前方向に持ち上がることがない。
【００４８】
次に図１０〜図１２を参照して、本発明の第２実施形態について説明する。なお、第１実施形態と同一または同等部分については、同一の符号を付し、説明を省略或いは簡略化する。
【００４９】
図１０に示すように、第２実施形態に係る加熱装置の扉開閉部を構成する開閉扉５０の特徴は、右端の下方に配されたハンドル５１を手前（斜め上方）に引くことによって開けることができ、閉じられるときにハンドル５１が浮き上がらないようになっていることであり、第１実施形態と比べて、ハンドル５１及びドアキー５２の構造が異なる。ハンドル５１は、円弧状の凸形状に形成されており、内側に手を挿入するようになっており、手前に引かれることにより、開閉扉５０を開状態とする。
【００５０】
図１１に示すように、ハンドル５１は、開閉扉５０の右端下方に形成された開口部５３内に配されており、裏面にクランク形状に突出したアーム５４が配されている。アーム５４は、中央部が、開閉扉５０に支持された支点５５になっているため、引き上げられることにより、開閉扉５０に対して回動される。アーム５４は、先端部が薄肉に形成されている。
【００５１】
ドアキー５２には、一対の係合部１１ａ，１１ｂのうちの下側に配された係合部１１ｂの下方に、駆動用兼空振り動作用である長孔状の切欠孔５６が形成されている。切欠孔５６は、開閉扉５０の前面側からドアフック１３側に向けて貫通されており、ハンドル５１のアーム５４の先端部が遊挿されている。
【００５２】
図１２に示すように、ハンドル５１は、後板５７のほぼ中央部にアーム５４の基端部が結合されており、支点５５を介して突出したアーム５４の先端部がドアキー５２の切欠孔５６内に挿入されている。ハンドル５１とアーム５４とは、例えばプラスチック等の高分子材料により一体成形されるのが好ましい。
【００５３】
このような開閉扉５０を開けるに際しては、閉状態にある開閉扉５０においてハンドル５１を引き上げると、アーム５４がドアキー５２の切欠孔５６内において下端部を押圧するために、バネ１７に抗してドアキー５２が下方へスライド移動され、各係合部１１ａ，１１ｂがドアフック１３の各ガイド部１３ａ，１３ｂから外れる。そして、ハンドル５１を手前に引くことにより、開閉扉５０が開状態となる。開閉扉５０が開くと、ドアキー５２はバネ１７の弾性復元力により上方へ戻り移動されるため、ドアキー５２の切欠孔５６内において下端部が当接しているアーム５４が戻り回動されてハンドル５１が閉位置（図１１参照）に戻る。
【００５４】
そして、この状態から、開閉扉５０を閉めると、各係合部１１ａ，１１ｂがドアフック１３の各ガイド部１３ａ，１３ｂを乗り越えて各ガイド部１３ａ，１３ｂに係合される。  このとき、各係合部１１ａ，１１ｂが各ガイド部１３ａ，１３ｂを乗り越えることによりドアキー１１が下方にスライド移動されるが、ハンドル５１のアーム５４が、ドアキー５２の切欠孔５６内を移動するだけで、ハンドル５１を引き上げる方向に押圧しないために、ハンドル５１は閉位置に保持される。
【００５５】
上述したように、本実施形態に係る加熱装置の扉開閉部の開閉扉５０では、ハンドル５１が、ドアキー５２を移動させるためのアーム５４を有し、ドアキー５２が、開閉扉５０が閉じられるときに、閉位置にあるハンドル５１のアーム５４に対して空振り動作を行う切欠孔５６を有するために、開閉扉５０を閉じるときにドアキー５２は移動するが、ドアキー５２がアーム５４を押圧せずに空振り動作を行って、ハンドル５１が閉位置のまま動かずに開閉扉５０の閉動作を行うことができる。
【００５６】
また、本実施形態に係る加熱装置の扉開閉部の開閉扉５０では、ハンドル５１が操作されることによって係合部１１ａ，１１ｂが同時に動き、開閉扉５０を閉じる際、ドアスイッチ１４，１６を同時に切り替えることができる。さらに、ドアキー５２の係合部１１ａ，１１ｂの先端部が上方に向けて突出しているために、例えば肉汁や水滴等の異物が付着し難い。それにより、ドアスイッチ１４，１６が押下する動作タイミングにずれを生ずることがなくなるとともに、ドアスイッチ１４，１６が作動不良になることがなくなる。したがって、開閉扉５０を不完全に閉じることなく加熱装置１の安全性を向上することができるとともに、ハンドル５１を操作して開閉扉５０を開閉することにより容易に開閉動作を行うことができるので、扉開閉時の操作性を向上することができ、ドアスイッチ１４，１６を確実に作動させることにより、品質の向上を図ることできる。
【００５７】
また、本実施形態に係る加熱装置の扉開閉部の開閉扉５０では、ドアスイッチ１４，１６が、動作部１４ａ，１６ａを下側に配しているために、ドアキー５２側から各動作部１４ａ，１６ａに肉汁や水滴等の異物が乗り移ることがないとともに、動作部１４ａ，１６ａに異物や粉塵等が付着することがないので、ドアスイッチ１４，１６を作動不良になることなく確実に作動させることができる。
【００５８】
また、本実施形態に係る加熱装置の扉開閉部の開閉扉５０では、係合部１６ａに対するドアスイッチ１４の相対的な位置が、開閉扉５０の閉状態において、係合部１６ｂに対するドアスイッチ１６の相対的な位置と同一であるために、ハンドル５１が操作されることによって係合部１１ａ，１１ｂが同時に動き、かつ、開閉扉５０が被加熱物取出口を閉じた状態において係合部１１ａ，１１ｂとドアスイッチ１４，１６との相対位置が同一であることにより、開閉扉５０を閉じる際、ドアスイッチ１４，１６を同時に切り替えることができる。それにより、開閉扉５０が不完全に閉じた状態になりにくいため、加熱装置１の安全性を向上することができるとともに、ハンドル５１を操作して開閉扉５０を開閉することにより小さな力で容易に開閉することができるので、扉開閉時の操作性を向上することができる。
【００５９】
また、本実施形態に係る加熱装置の扉開閉部の開閉扉５０では、ドアキー５２が、係合部１１ａ，１１ｂがドアキー５２と平行な部分を有し、ドアフック１３が、閉状態において、平行な部分がドアフック１３と接触するようにドアキー５２を保持するものであるために、閉状態において、ドアフック１３は、係合部１１ａ，１１ｂとの間に隙間を生じることなくドアキー５２を保持することができる。したがって、開閉扉５０は、加熱装置本体との間に隙間を生じさせることなく被加熱物取出口を閉じることができる。
【００６０】
また、本実施形態に係る加熱装置の扉開閉部の開閉扉５０では、ドアフック１３が、係合部１１ａが保持されたとき、電源回路を導通させるように切り替わるショートスイッチ１５をドアスイッチ１４の近傍に有し、係合部１１ａが、開閉扉５０が被加熱物取出口を閉じる場合、ショートスイッチ１５を押下した後、ドアスイッチ１４を押下するものであるために、より安全に電源回路を動作させることができる。
【００６１】
次に、図１３を参照して、ドアキー５２と、ドアスイッチ１４，１５，１６との組み合わせ構造に係る変形例について説明する。
【００６２】
図１３に示すように、ドアキー５２の係合部１１ａの先端部と、ドアスイッチ１４の動作部１４ａとの間に、断面視Ｌ字形状の薄板状をなす可動片６１が配されている。可動片６１は、ドアスイッチ１４側が回転中心６２になっており、この回転中心６２を軸として回動する。
【００６３】
本変形例では、ハンドル５１（図１０参照）が引き上げられることにより、ドアキー５２が下方にスライド移動されたときに、係合部１１ａが可動片６１の一端部から離れ、それによって、可動片６１の他端部がドアスイッチ１４の動作部１４ａを押下しなくなる。これとは異なり、開閉扉が閉められることにより、ドアキー５２が下方へ移動してから上方へ向けて戻り移動された際に、係合部１１ａが可動片６１の一端部を押圧し、それによって、可動片６１の他端部がドアスイッチ１４の動作部１４ａを押下することにより、ドアスイッチ１４がオンされる。このとき、可動片６１が、ドアスイッチ１４側に回転中心６２を配しているために、係合部１１ａ、可動片６１及びドアスイッチ１４の左側上方に大きなスペースが確保されるので、そのスペースを有効的に利用することができ、レイアウトの設計自由度を向上させることができる。なお、可動片６１は、ドアキー５２の係合部１１ａの先端部と、ドアスイッチ１５の動作部１５ａとの間、または、ドアキー５２の係合部１１ｂの先端部と、ドアスイッチ１６の動作部１６ａとの間に配した場合においても、上記と同様の作用効果を得ることができる。また、可動片６１は、ドアスイッチ１４の動作部１４ａに一体的に結合されていても良い。
【００６４】
次に図１４を参照して、本発明の第３実施形態について説明する。なお、第１実施形態と同一または同等部分については、同一の符号を付し、説明を省略或いは簡略化する。
【００６５】
図１４に示すように、第３実施形態に係る加熱装置の扉開閉部を構成する開閉扉７０の特徴は、ハンドル７１とドアキー７２とを一体に形成していることである。この場合、ハンドル７１は下ハンドル７３と可動部７４とを有し、下ハンドル７３が開閉扉７０に一体に形成され、可動部７４がドアキー７２に一体に形成されている。
【００６６】
開閉扉７０では、下ハンドル７３を手で握り、可動部７４を押しボタン式に押圧することにより、ドアキー７２がバネ１７に抗して下方へスライド移動され、各係合部１１ａ，１１ｂがドアフック１３の各ガイド部１３ａ，１３ｂから外れる。そして、下ハンドル７３を手前に引くことにより、開閉扉７０が開状態となる。開閉扉７０が開くと、ドアキー７２はバネ１７の弾性復元力により上方へ戻り移動されるため、ドアキー７２が戻り移動されて閉位置に戻る。
【００６７】
本実施形態に係る加熱装置の扉開閉部の開閉扉７０では、ハンドル７１を手で握ったままで開閉扉７０を開閉することができるので、安定した開閉操作を行うことができる。なお、ハンドル７１は、図１４に示す、開閉扉７０の中央部に代えて、開閉扉７０の上方寄り或いは下方寄りに配置しても良い。
【００６８】
次に図１５を参照して、本発明の第４実施形態について説明する。なお、第１実施形態と同一または同等部分については、同一の符号を付し、説明を省略或いは簡略化する。
【００６９】
図１５に示すように、第４実施形態に係る加熱装置の扉開閉部を構成する開閉扉８０の特徴は、開閉扉８０に一体に形成された固定側の上ハンドル８１の内側に、可動側の下ハンドル８２を配したことである。この場合、下ハンドル８２がハンドル（図２参照）として機能し、他端にピニオン５ａが形成されており、下ハンドル８２は上ハンドル８１によって覆われている。
【００７０】
開閉扉８０では、上ハンドル８１と下ハンドル８２とを手で握りながら手前に引くことにより、ドアキー１１がバネ１７に抗して下方へスライド移動され、各係合部１１ａ，１１ｂがドアフック１３の各ガイド部１３ａ，１３ｂから外れて開閉扉８０が開状態となる。開閉扉８０が開くと、ドアキー１３はバネ１７の弾性復元力により上方へ戻り移動されるため、ドアキー１３が戻り移動されて閉位置に戻る。
【００７１】
本実施形態に係る加熱装置の扉開閉部の開閉扉８０では、上ハンドル８１と下ハンドル８２とを手で握りながら開くことができるので、確実な開閉を行うことができる。
【００７２】
以上説明したように、本発明の各実施形態に係る加熱装置の扉開閉部によれば、高周波加熱装置の安全性、扉開閉時の操作性及び品質を向上させることができる。
【００７３】
以上、マイクロ波を発生させる高周波加熱装置を例に説明したが、本発明は、オーブンやグリル調理器等の調理器具の扉開閉部にも適用可能である。
【産業上の利用可能性】
【００７４】
本発明の加熱装置の扉開閉部は、安全性、扉開閉時の操作性及び、品質を向上させることができる効果を有し、例えば、電子レンジやオーブン等の扉開閉部に有用である。
【図面の簡単な説明】
【００７５】
【図１】本発明の第１実施形態を説明するための加熱装置の扉開閉部を有する高周波加熱装置の概略構成を示す外観図である。
【図２】図１に示した扉開閉部における開閉扉を閉じた状態の扉開閉部の断面図である。
【図３】図１に示した扉開閉部における開閉扉を開いた状態の扉開閉部の断面図である。
【図４】図１に示した扉開閉部における係合部の拡大図である。
【図５】図１に示した扉開閉部における電源回路の回路図の一例を示す図である。
【図６】図１に示した扉開閉部の開閉扉開閉時における各スイッチのタイミングチャートの一例を示す図である。
【図７】係合部及びドアスイッチの拡大断面図で、（ａ）はいずれの動作部も押下されていない状態、（ｂ）は一方の動作部が押下された状態、（ｃ）は双方の動作部が押下された状態である。
【図８】図１に示した扉開閉部における力学的構成を説明する模式図である。
【図９】他の構成におけるハンドルとドアキーとの接続部の断面図で、（ａ）は開閉扉が開いた状態、（ｂ）はドアキーの一部が本体側に挿入された状態、（ｃ）は開閉扉が閉じた状態である。
【図１０】本発明の第２実施形態に係る加熱装置の扉開閉部を有する高周波加熱装置の概略構成を示す外観図である。
【図１１】図１０に示した扉開閉部の断面図である。
【図１２】図１０に示した扉開閉部におけるハンドル周りの一部破断外観図である。
【図１３】他の構成におけるドアキーとドアスイッチの配置説明図である。
【図１４】本発明の第３実施形態に係る加熱装置の扉開閉部における開閉扉を閉じた状態の断面図である。
【図１５】本発明の第４実施形態に係る加熱装置の扉開閉部における開閉扉を閉じた状態の断面図である。
【図１６】従来の第１の扉開閉部の構成を説明する断面図である。
【図１７】従来の第２の扉開閉部の構成を説明する図である。
【図１８】従来の第３の扉開閉部の構成を説明する断面図である。
【図１９】従来の第４の扉開閉部の構成を説明する断面図である。
【図２０】従来の構成の補足説明図である。
【符号の説明】
【００７６】
１                        高周波加熱装置
２                        本体ケース
３                        加熱室
４，５０，７０，８０      開閉扉
５，５１，７１            ハンドル
５ａ                    ピニオン
１１，５２，７２          ドアキー
１１ａ                  係合部（第１の係合部）
１１ｂ                  係合部（第２の係合部）
１１ｃ                  ラック
１２ａ，１２ｂ          挿入口
１３                      ドアフック
１３ａ，１３ｂ          ガイド部
１３ｃ，１３ｄ          挿入口
１４                      ドアスイッチ（第１のスイッチ）
１４ａ，１５ａ，１６ａ  動作部
１５                      ドアスイッチ（ショートスイッチ）
１６                      ドアスイッチ（第２のスイッチ）
５４                      アーム
５６                      切欠孔
８３                      下ハンドル（ハンドル）
【図１】
2005249345.tif 000004
【図２】
2005249345.tif 000005
【図３】
2005249345.tif 000006
【図４】
2005249345.tif 000007
【図５】
2005249345.tif 000008
【図６】
2005249345.tif 000009
【図７】
2005249345.tif 000010
【図８】
2005249345.tif 000011
【図９】
2005249345.tif 000012
【図１０】
2005249345.tif 000013
【図１１】
2005249345.tif 000014
【図１２】
2005249345.tif 000015
【図１３】
2005249345.tif 000016
【図１４】
2005249345.tif 000017
【図１５】
2005249345.tif 000018
【図１６】
2005249345.tif 000019
【図１７】
2005249345.tif 000020
【図１８】
2005249345.tif 000021
【図１９】
2005249345.tif 000022
【図２０】
2005249345.tif 000023